(57)【要約】【課題】空調空間の温度・湿度が所定範囲になった後で、空調空間の温度・湿度についての情報を使用者に知らせた場合には、空調空間にいる人が熱中症等になるのを十分に防止できない。【解決手段】空調管理システム１は、空調管理サーバ３と、端末装置４とを備える。空調管理サーバ３は、室外温度および室外湿度に基づいて空調空間の温度・湿度が所定範囲内になることを予測して、空調空間の温度・湿度が所定範囲内になることが予測された場合に、その予測時刻を、空調空間の温度・湿度が所定範囲内になる前に、端末装置４に供給する。【選択図】図１
2015114053.tif 000002
【特許請求の範囲】
【請求項１】
管理装置と、  
前記管理装置から情報が供給され得る端末装置とを備え、
前記管理装置は、
空調空間の温度および湿度の少なくとも一方が所定範囲内になる時刻を予測する予測手段と、
前記予測手段によって予測された予測時刻を、空調空間の温度および湿度の少なくとも一方が所定範囲内になる前に前記端末装置に供給する情報供給手段とを有していることを特徴とする空調管理システム。
【請求項２】
前記予測手段は、室外温度および室外湿度の少なくとも一方に基づいて空調空間の温度および湿度の少なくとも一方が所定範囲内になる時刻を予測することを特徴とする請求項１に記載の空調管理システム。
【請求項３】
空調空間にある空気調和機は、運転停止状態において所定時刻になったときに運転を開始する運転開始タイマー手段を有しており、
前記情報供給手段は、前記予測時刻になったときに前記運転開始タイマー手段によって空気調和機の運転が開始されている場合は、前記予測時刻を前記端末装置に供給しないことを特徴とする請求項１または２に記載の空調管理システム。
【請求項４】
前記情報供給手段は、空調空間の温度および湿度の少なくとも一方が所定範囲内になる前に、前記予測時刻を前記端末装置に複数回供給することを特徴とする請求項１−３のいずれかに記載の空調管理システム。
【請求項５】
前記端末装置は、空調空間にある空気調和機に対して運転変更命令を供給できることを特徴とする請求項１−４のいずれかに記載の空調管理システム。
【請求項６】
コンピュータを、
空調空間の温度および湿度の少なくとも一方が所定範囲内になる時刻を予測する予測手段と、
前記予測手段によって予測された予測時刻を、空調空間の温度および湿度の少なくとも一方が所定範囲内になる前に前記端末装置に供給する情報供給手段として機能させることを特徴とする空調管理プログラム。
【発明の詳細な説明】
【技術分野】
【０００１】
本発明は、空調空間の温度・湿度を管理する空調管理システムおよび空調管理プログラムに関する。
【背景技術】
【０００２】
従来の空気調和機には、例えば熱中症等になる室温になった場合に、室温を低下させる強制運転を自動的に開始するものがある。
【先行技術文献】
【特許文献】
【０００３】
【特許文献１】特開２０１２−２３７４８１
【発明の概要】
【発明が解決しようとする課題】
【０００４】
従来の空気調和機のように、空調空間の温度・湿度が所定範囲になったときに強制運転を自動的に開始するのでなく、空調空間の温度・湿度についての情報を、使用者（ユーザ）の端末装置に供給して使用者に知らせることが考えられる。したがって、使用者は、空調空間の温度・湿度が、空調空間にいる人が熱中症等になるような状態であることを知ることができるので、使用者は、例えば端末装置から空調空間にある空気調和機に運転開始命令を供給することによって空気調和機の運転を開始できる。しかし、空調空間の温度・湿度が所定範囲になった後で、空調空間の温度・湿度についての情報を使用者に知らせた場合には、空調空間にいる人が熱中症等になるのを十分に防止できないことが考えられる。
【０００５】
そこで、本発明の目的は、空調空間にいる人が熱中症等になるのを確実に防止できる空調管理システムおよび空調管理プログラムを提供することである。
【課題を解決するための手段】
【０００６】
第１の発明にかかる空調管理システムは、管理装置と、前記管理装置から情報が供給され得る端末装置とを備え、前記管理装置は、空調空間の温度および湿度の少なくとも一方が所定範囲内になる時刻を予測する予測手段と、前記予測手段によって予測された予測時刻を、空調空間の温度および湿度の少なくとも一方が所定範囲内になる前に前記端末装置に供給する情報供給手段とを有していることを特徴とする。
【０００７】
第６の発明にかかる空調管理プログラムは、コンピュータを、空調空間の温度および湿度の少なくとも一方が所定範囲内になる時刻を予測する予測手段と、前記予測手段によって予測された予測時刻を、空調空間の温度および湿度の少なくとも一方が所定範囲内になる前に前記端末装置に供給する情報供給手段として機能させることを特徴とする。
【０００８】
この空調管理システムおよび空調管理プログラムでは、空調空間の温度・湿度が所定範囲内になる予測時刻が、空調空間の温度・湿度が所定範囲内になる前に、端末装置に供給される。したがって、空調空間の温度・湿度が所定範囲内になる前に、使用者は、空調空間の温度・湿度が所定範囲内になる予測時刻を知ることによって、使用者が、どの程度の時間が経過したときに、空調空間の温度・湿度が所定範囲内になるかを考慮して、空気調和機の運転を変更できるので、空調空間の温度・湿度が所定範囲内になるのを防止できる。よって、空調空間にいる人が熱中症等になるのを確実に防止できる。
【０００９】
第２の発明にかかる空調管理システムは、第１の発明にかかる空調管理システムにおいて、前記予測手段は、室外温度および室外湿度の少なくとも一方に基づいて空調空間の温度および湿度の少なくとも一方が所定範囲内になる時刻を予測することを特徴とする。
【００１０】
この空調管理システムでは、室外温度や室外湿度に基づいて、空調空間の温度・湿度が所定範囲内になる時刻が予測される。
【００１１】
第３の発明にかかる空調管理システムは、第１または第２の発明にかかる空調管理システムにおいて、空調空間にある空気調和機は、運転停止状態において所定時刻になったときに運転を開始する運転開始タイマー手段を有しており、前記情報供給手段は、前記予測時刻になったときに前記運転開始タイマー手段によって空気調和機の運転が開始されている場合は、前記予測時刻を前記端末装置に供給しないことを特徴とする。
【００１２】
この空調管理システムでは、空調空間の温度・湿度が所定範囲内になる予測時刻になったときに運転開始タイマーによって空気調和機の運転が開始されている場合は、予測時刻を端末装置に供給しなくても、空調空間の温度・湿度が所定範囲外に変化すると考えられるので、予測時刻を端末装置に供給しない。したがって、予測時刻を供給する必要のない場合に、予測時刻が供給されるのを抑制できる。
【００１３】
第４の発明にかかる空調管理システムは、第１−第３のいずれかの発明にかかる空調管理システムにおいて、前記情報供給手段は、空調空間の温度および湿度の少なくとも一方が所定範囲内になる前に、前記予測時刻を前記端末装置に複数回供給することを特徴とする。
【００１４】
この空調管理システムでは、空調空間の温度・湿度が所定範囲内になる前に、予測時刻が端末装置に複数回供給されるので、空調空間の温度・湿度が所定範囲内になる予測時刻を、使用者に確実に知らせることができる。
【００１５】
第５の発明にかかる空調管理システムは、第１−第４のいずれかの発明にかかる空調管理システムにおいて、前記端末装置は、空調空間にある空気調和機に対して運転変更命令を供給できることを特徴とする。
【００１６】
この空調管理システムでは、予測時刻を確認した使用者は、空調空間の温度・湿度が所定範囲内にならないように空気調和機の運転を変更できる。したがって、空調空間にいる使用者が熱中症等になることを防止できる。
【発明の効果】
【００１７】
以上の説明に述べたように、本発明によれば、以下の効果が得られる。
【００１８】
第１および第５の発明では、空調空間の温度・湿度が所定範囲内になる予測時刻が、空調空間の温度・湿度が所定範囲内になる前に、端末装置に供給される。したがって、空調空間の温度・湿度が所定範囲内になる前に、使用者は、空調空間の温度・湿度が所定範囲内になる予測時刻を知ることによって、使用者が、どの程度の時間が経過したときに、空調空間の温度・湿度が所定範囲内になるかを考慮して、空気調和機の運転を変更できるので、空調空間の温度・湿度が所定範囲内になるのを防止できる。よって、空調空間にいる人が熱中症等になるのを確実に防止できる。
【００１９】
第２の発明では、室外温度や室外湿度に基づいて、空調空間の温度・湿度が所定範囲内になる時刻が予測される。
【００２０】
第３の発明では、空調空間の温度・湿度が所定範囲内になる予測時刻になったときに運転開始タイマーによって空気調和機の運転が開始されている場合は、予測時刻を端末装置に供給しなくても、空調空間の温度・湿度が所定範囲外に変化すると考えられるので、予測時刻を端末装置に供給しない。したがって、予測時刻を供給する必要のない場合に、予測時刻が供給されるのを抑制できる。
【００２１】
第４の発明では、空調空間の温度・湿度が所定範囲内になる前に、予測時刻が端末装置に複数回供給されるので、空調空間の温度・湿度が所定範囲内になる予測時刻を、使用者に確実に知らせることができる。
【００２２】
第５の発明では、予測時刻を確認した使用者は、空調空間の温度・湿度が所定範囲内にならないように空気調和機の運転を変更できる。したがって、空調空間にいる使用者が熱中症等になることを防止できる。
【図面の簡単な説明】
【００２３】
【図１】本発明の実施形態に係る空調管理システムの構成を示す図である。
【図２】室外温度および室外湿度と、室内温度および室内湿度との関係を示す図である。
【図３】実施形態における判定図である。
【図４】実施形態に係る空調管理システムの予測情報供給動作を説明する図である。
【図５】実施形態における端末装置の表示画面の一例を示す図である。
【図６】実施形態に係る空調管理システムの予測動作を説明する図である。
【図７】本発明の第１変形例に係る空調管理システムの予測動作を説明する図である。
【図８】室内温度と飽和水蒸気量との関係を示すデータである。
【図９】本発明の第２変形例に係る空調管理システムの予測動作を説明する図である。
【図１０】本発明の変形例における判定図である。
【発明を実施するための形態】
【００２４】
〔実施形態〕
以下、本発明の実施形態に係る空調管理システム１について説明する。
【００２５】
＜空調管理システム１の全体構成＞
図１に示すように、本実施形態の空調管理システム１は、空調空間の温度・湿度を管理するものであって、室内に設置される室内機２ａおよび室外に設置される室外機２ｂを有する空気調和機２と、空調管理サーバ３と、空調管理サーバ３との間でそれぞれ情報の通信を行う複数の端末装置４を備えている。
【００２６】
空気調和機２は、自動運転、冷房運転、暖房運転、除湿運転、加湿運転、空気清浄運転及び送風運転のいずれかの運転が可能であって、リモコンや端末装置４によって、いずれかの運転を選択して運転開始操作や運転停止操作を行ったり、室内温度の設定温度を設定することができる。
【００２７】
室内機２ａは、情報の通信を行う通信部を有しており、空調管理サーバ３に情報を供給するとともに、端末装置４から供給された情報を受けることができる。また、室内機２ａは、制御部を有しており、制御部には、室内機２ａ（空気調和機２）に係る各種動作の制御プログラムやデータなどが格納されたＲＯＭ、室内機２ａ（空気調和機２）の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、運転開始タイマー部２０が形成されている。運転開始タイマー部２０は、リモコンや端末装置４で設定された運転開始タイマー時刻を記憶しており、その運転開始タイマー時刻になったときに、室内機２ａ（空気調和機２）の運転を開始する。本実施形態では、運転開始タイマー部２０に記憶された運転開始タイマー時刻は、空調管理サーバ３に供給されるように構成される。また、図１に示すように、室内機２ａには、室内温度を検出する室内温度センサ２１と、室内湿度を検出する室内湿度センサ２２とが配置される。したがって、空気調和機２では、例えば室内温度センサ２１や室内湿度センサ２２で検出した温度や湿度を空調管理サーバ３に対して供給したり、端末装置４から供給された運転開始命令に基づいて運転が制御される。本実施形態では、室内温度センサ２１で検出された室内温度や、室内湿度センサ２２で検出された室内湿度は、空調管理サーバ３に供給されるように構成される。
【００２８】
室外機２ｂは、情報の通信を行う通信部を有しており、室内機２ａに情報を供給するとともに、室内機２ａから供給された情報を受けることができる。また、図１に示すように、室外機２ｂには、室外温度を検出する室外温度センサ３１と、室外湿度を検出する室外湿度センサ３２とが配置される。したがって、空気調和機２では、例えば室外温度センサ３１や室外湿度センサ３２で検出した温度や湿度を室内機２ａに対して供給したり、室内機２ａから供給された命令に基づいて運転が制御される。本実施形態では、室外温度センサ３１で検出された室外温度や、室外湿度センサ３２で検出された室外湿度は、室内機２ａを介して空調管理サーバ３に供給されるように構成される。
【００２９】
空調管理サーバ３は、制御部５０を有している。制御部５０には、空調管理サーバ３に係る各種動作の制御プログラムやデータなどが格納されたＲＯＭ、空調管理サーバ３の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、室外情報記憶部５１と、空調空間情報記憶部５２と、予測部５３と、判定部５４と、情報供給部５５とが形成されている。また、制御部５０は、通信部５６に接続されている。本実施形態では、空調管理サーバ３が、本発明における管理装置に対応する。
【００３０】
室外情報記憶部５１は、空気調和機２の室内機２ａから供給された室外の温度および湿度（室外温度センサ３１で検知された室外温度と、室外湿度センサ３２で検知された室外湿度）についての情報（室外情報）を記憶する。本実施形態では、室外情報は、空気調和機２の室外機２ｂから室内機２ａを介して供給されるので、室外情報記憶部５１に記憶された情報が更新される。
【００３１】
空調空間情報記憶部５２は、空気調和機２の室内機２ａから供給された空調空間の温度および湿度（室内温度センサ２１で検知された室内温度と、室内湿度センサ２２で検知された室内湿度）についての情報（空調空間情報）を記憶する。本実施形態では、空調空間情報は、空気調和機２の室内機２ａから供給されるので、空調空間情報記憶部５２に記憶された情報が更新される。
【００３２】
予測部５３は、室外情報記憶部５１に記憶された室外情報と、空調空間情報記憶部５２に記憶された空調空間情報とに基づいて、空調空間が冷房運転（または除湿運転）を開始する必要がある状態になるか（室内温度や室内湿度が判定図の情報供給ゾーン内になるか）を予測する。また、本実施形態では、予測部５３は、空調空間が冷房運転（または除湿運転）を開始する必要がある状態になる時刻を予測する。本発明において、空調空間が冷房運転（または除湿運転）を開始する必要がある状態になる時刻が予測されるとは、空調空間が冷房運転（または除湿運転）を開始する必要がある状態になる時間帯が予測される場合を含む。
【００３３】
本実施形態では、予測部５３には、過去における室外温度と空調空間の室内温度との関係を示すデータを記憶しており、予測部５３では、室外温度が変化した場合に、室内温度がどのように変化するかを検知することができる。図２は、過去の１日における室外温度と空調空間の室内温度との変化の一例（室外湿度が３０％である場合）を示している。図２では、時刻ｔ１において室外温度が３３度を超えており、その後、所定時間Ｔが経過した時刻ｔ２において、室内温度が３３度を超えている。本実施形態では、過去における室外温度と空調空間の室内温度との関係に基づいて、室外温度が所定温度を超えた後、所定時間が経過したときに、室内温度が所定温度を超えるものと考えて、室内温度を予測する。本実施形態では、室内湿度が、室外湿度と略同一と考えており、３３度は、図３の判定図において、室内湿度が３０％である場合に、空調空間の温度・湿度が情報供給ゾーン内となる室内温度である。したがって、予測部５３では、所定の室外湿度において、室外温度の変化から室内温度の変化を検知して、室内温度および室内湿度が判定図の情報供給ゾーン内になるかを予測する。このように、本実施形態では、予測部５３は、１日ごとに、室内温度および室内湿度が判定図の情報供給ゾーン内になるかを予測する。
【００３４】
本実施形態では、予測部５３において空調空間が冷房運転（または除湿運転）を開始する必要がある状態になるかを予測する場合に、室内温度及び室内湿度についての判定図が使用される。判定図は、図３に示すように、縦軸は室内湿度（相対湿度）を示し、横軸は室内温度を示している。
【００３５】
図３は、予測情報を端末装置に供給するかを判定する判定図の一例であるが、この判定図には、情報供給ゾーンが設定される。情報供給ゾーンは、室内が高温状態や高湿状態であって、室内温度や室内湿度を低下させる必要がある領域である。したがって、情報供給ゾーンでない領域は、室内温度や室内湿度を低下させる必要がない領域であると考えられる。
【００３６】
図３の判定図において、Ａ１点〜Ａ３点は、下記の室内温度及び室内湿度である点を示す。
・Ａ１点：室内温度が２７度であり、室内湿度が１００％である点
・Ａ２点：室内温度が２７度であり、室内湿度が７０〜８０％の間のｙ１である点
・Ａ３点：室内温度が３３度であり、室内湿度が３０％である点
【００３７】
図３の判定図では、Ａ１点とＡ２点とＡ３点を接続した線Ａの右上の領域（室内温度及び室内湿度が線Ａ上にある場合を含む）である情報供給ゾーンが図示されている。したがって、室内温度及び室内湿度が情報供給ゾーンにある場合には、室内温度や室内湿度を低下させる必要があるとして、予測情報が端末装置４に供給される。
【００３８】
判定部５４は、予測部５３において空調空間が冷房運転（または除湿運転）を開始する必要がある状態になると予測された場合に、その予測情報および予測時刻を端末装置４に供給するか否かを判定する。本実施形態では、判定部５４は、予測部５３において予測された予測時刻と、空気調和機２の室内機２ａから供給された運転開始タイマー時刻に基づいて、予測情報を端末装置４に供給するか否かを判定する。詳しくは、判定部５４は、運転開始タイマー時刻が予測時刻の以前に設定されている場合には、予測時刻になったときに空気調和機２の運転が開始されているとして、予測情報を端末装置４に供給しないと判定する。一方、判定部５４は、運転開始タイマー時刻が設定されてない場合や、運転開始タイマー時刻が予測時刻の後に設定されている場合には、予測時刻になったときに空気調和機２の運転が開始されてないとして、予測情報を端末装置４に供給すると判定する。
【００３９】
情報供給部５５は、判定部５４において予測情報を端末装置４に供給すると判定された場合に、予測情報とともに予測時刻を端末装置４に供給する。本実施形態では、情報供給部５５は、予測部５３において空調空間が冷房運転（または除湿運転）を開始する必要がある状態になると予測されたときに、予測情報および予測時刻を端末装置４に対して供給する。その後、情報供給部５５は、予測情報および予測時刻を端末装置４に対して供給した後、所定時間おきに、予測情報および予測時刻を端末装置４に対して供給する。したがって、本実施形態では、情報供給部５５は、予測時刻になる前に、予測情報および予測時刻を端末装置４に対して複数回供給するように構成される。本発明において、空調空間が冷房運転（または除湿運転）を開始する必要がある状態になると予測される予測時刻とは、空調空間が冷房運転（または除湿運転）を開始する必要がある状態になると予測される予測時間帯を含む。したがって、予測情報および予測時刻を端末装置４に対して供給するとは、予測情報および予測時間帯を端末装置４に対して供給する場合を含む。
【００４０】
端末装置４は、例えばスマートフォンなどの液晶端末であって、表示画面１０を有している。端末装置４では、例えば、空調管理サーバ３から予測情報および予測時刻が供給された場合に、その予測情報および予測時刻を表示画面１０に表示する。したがって、端末装置４の使用者は、表示画面１０に表示された予測情報および予測時刻を見て、空調空間の温度・湿度が所定範囲内になると予測されたことと、どの程度の時間が経過したときに、空調空間の温度・湿度が所定範囲内になるかを知ることができる。また、端末装置４では、使用者が端末装置４に対して空気調和機２の室内機２ａの運転を変更する操作を行った場合に、空気調和機２の室内機２ａに対して運転変更命令（運転を開始する運転開始命令や、設定温度を変更する設定温度変更命令を含む）を供給する。本実施形態では、複数の端末装置４のいずれも、空気調和機２の室内機２ａに対して運転変更命令を供給できるものである。
【００４１】
次に、空調管理システム１における予測情報供給動作について、図４を参照しつつ説明する。
【００４２】
空調管理システム１では、空調空間が冷房運転（または除湿運転）を開始する必要がある状態になるか（室内温度や室内湿度が判定図の情報供給ゾーン内になるか）を予測する（ステップＳ１）。室内温度や室内湿度が判定図の情報供給ゾーン内になると予測された場合には（ステップＳ２：ＹＥＳ）、判定部５４において、予測情報および予測時刻を端末装置４に供給するか否かを判定する（ステップＳ３）。ステップＳ３において、予測情報および予測時刻を端末装置４に供給すると判定した場合には（ステップＳ３：ＹＥＳ）、予測情報および予測時刻が端末装置４に供給される（ステップＳ４）。図５は、予測情報および予測時刻が端末装置４に供給された場合に、端末装置４の表示画面１０に表示される内容の一例を示している。その後、予測時刻になったか否かを判定する（ステップＳ５）。ステップＳ５において、予測時刻になったと判定された場合には（ステップＳ５：ＹＥＳ）、予測情報供給動作が終了する。
【００４３】
一方、ステップＳ２において、室内温度や室内湿度が判定図の情報供給ゾーン内にならないと予測された場合には（ステップＳ２：ＮＯ）、予測情報供給動作が終了する。
【００４４】
また、ステップＳ３において、予測情報および予測時刻を端末装置４に供給しないと判定した場合には（ステップＳ３：ＮＯ）、予測情報供給動作が終了する。
【００４５】
また、ステップＳ５において、予測情報および予測時刻が端末装置４に供給された後、予測時刻になってないと判定された場合には（ステップＳ５：ＮＯ）、予測情報および予測時刻が端末装置４に供給されたときから所定時間が経過したか否かを判定する（ステップＳ６）。ステップＳ６において、所定時間が経過したと判定された場合には（ステップＳ６：ＹＥＳ）、ステップＳ４に移行して、再度、予測情報および予測時刻が端末装置４に供給される。
【００４６】
一方、ステップＳ６において、所定時間が経過してないと判定されたと判定された場合には（ステップＳ６：ＮＯ）、ステップＳ５に移行して、予測時刻になったか否かの判定を繰り返す。
【００４７】
次に、空調管理システム１における予測方法について、図６を参照しつつ説明する。
【００４８】
まず、空調管理サーバ３は、空気調和機２の室内機２ａから、室外湿度センサ３２で検知される室外湿度についての情報を取得する（ステップＳ１０１）。空調管理サーバ３では、室外湿度についての情報に基づいて、室内湿度を推測する（ステップＳ１０２）。本実施形態では、室内湿度は室外湿度と同一であると考えて、室内湿度が室外湿度と同一の湿度であると推測する。ステップＳ１０２において推測された室内湿度と、図５の判定図に基づいて、その室内湿度において判定図の情報供給ゾーン内になる所定温度が検知される（ステップＳ１０３）。本実施形態では、室内湿度が３０％であるので、所定温度は３３℃となる。その後、予測部５３に記憶された、過去における室外温度と空調空間の室内温度との関係を示すデータに基づいて、室外温度が所定温度を超えるかを判断する（ステップＳ１０４）。室外温度が所定温度を超えると判断した場合（ステップＳ１０４：ＹＥＳ）、室外温度が所定温度を超えた後、所定時間が経過したときに、室内温度が所定温度を超えるものと考えて、情報供給ゾーン内になる予測時刻を予測する（ステップＳ１０５）。一方、ステップＳ１０４において、室外温度が所定温度を超えないと判断した場合（ステップＳ１０４：ＮＯ）、予測動作が終了する
【００４９】
＜本実施形態の空調管理システムの特徴＞
本実施形態の空調管理システム１では、室外温度および室外湿度に基づいて空調空間の温度・湿度が所定範囲内になる時刻が予測されて、その予測時刻が、空調空間の温度・湿度が所定範囲内になる前に、端末装置に供給される。したがって、空調空間の温度・湿度が所定範囲内になる前に、使用者は、空調空間の温度・湿度が所定範囲内になる予測時刻を知ることによって、使用者が、どの程度の時間が経過したときに、空調空間の温度・湿度が所定範囲内になるかを考慮して、空気調和機の運転を変更できるので、空調空間の温度・湿度が所定範囲内になるのを防止できる。よって、空調空間にいる人が熱中症等になるのを確実に防止できる。
【００５０】
本実施形態の空調管理システム１では、空調空間の温度・湿度が情報供給ゾーン内になる予測時刻になったときに運転開始タイマーによって空気調和機２の運転が開始されている場合は、予測情報を端末装置４に供給しなくても、空調空間の温度・湿度が情報供給ゾーン外に変化すると考えられるので、予測情報を端末装置４に供給しない。したがって、予測情報を供給する必要のない場合に、予測情報が供給されるのを抑制できる。
【００５１】
本実施形態の空調管理システム１では、空調空間の温度・湿度が情報供給ゾーン内になる前に、予測情報が端末装置４に複数回供給されるので、空調空間の温度・湿度が情報供給ゾーン内になることが予測されていることを、使用者に確実に知らせることができる。
【００５２】
本実施形態の空調管理システム１では、端末装置４が空調空間にある空気調和機２に対して運転変更命令を供給できるものであるので、予測情報を確認した使用者は、空調空間の温度・湿度が情報供給ゾーン内にならないように空気調和機２の運転を変更できる。したがって、空調空間にいる使用者が熱中症等になることを防止できる。
【００５３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５４】
例えば、上述の第１実施形態では、予測部が、過去における室外温度と空調空間の室内温度との関係を示すデータに基づいて、室外温度に基づいて室内温度を推測して、室外温度が所定温度を超えた後、所定時間が経過したときに、室内温度が所定温度を超えるものと考えて、室内温度を予測する場合について説明したが、室内温度および室内湿度が判定図の情報供給ゾーン内になるかを予測する方法および時刻を予測する方法は、その他の方法であってもよい。また、予測部が、室内温度および室内湿度が判定図の情報供給ゾーン内になるかを、１日ごとに予測するものでなく、他の期間ごとに予測するものでもよい。
【００５５】
本発明に係る情報供給システムにおける第１変形例の予測方法について、図７および図８を参照しつつ説明する。
【００５６】
まず、空調管理サーバ３は、空気調和機２の室内機２ａから、室内温度センサ２１で検知される室内温度と室内湿度センサ２２で検知される室内湿度についての情報を取得する（ステップＳ２０１）。空調管理サーバ３では、室内温度および室内湿度についての情報に基づいて、室内の水蒸気量を検知する（ステップＳ２０２）。本変形例では、図８に示す室内温度と飽和水蒸気量との関係を示すデータが予測部に記憶されており、そのデータに基づいて室内の水蒸気量を検知する。その後、予測部に記憶された、過去における室外温度と空調空間の室内温度との関係を示すデータに基づいて、室内温度が現在より１℃上昇するかを判断する（ステップＳ２０３）。室内温度がどのように上昇するかについては、過去のデータ（例えば１週間の平均値）から現在の室内温度を用いて室内温度を推測してもよい。また、現在の室内温度を利用しない場合は、「室内温度＝室外温度＋α」(例えば、α=4)として室内温度を推測してもよい。このとき、αは、過去の室内温度および室外温度から４半期毎(1−3月/4−6月/7−9月/10−12月)の平均値を割り出してもよい。ステップＳ２０３において、室内温度が現在より１℃上昇すると判断した場合、現在から何時間後に、室内温度が現在より１℃上昇するかを推測することができる。
【００５７】
ステップＳ２０３において、室内温度が現在より１℃上昇すると判断した場合（ステップＳ２０３：ＹＥＳ）、その１℃上昇した室内温度における室内湿度を推測する（ステップＳ２０４）。その後、現在より１℃上昇した室内温度と、ステップＳ２０４において推測された室内湿度と、図５の判定図に基づいて、その室内温度および室内湿度が判定図の情報供給ゾーン内になるかを判断する（ステップＳ２０５）。室内温度および室内湿度が判定図の情報供給ゾーン内になると判断した場合（ステップＳ２０５：ＹＥＳ）、ステップＳ２０３において、室内温度が現在より１℃上昇すると判断したときに、現在から何時間後に室内温度が現在より１℃上昇するかを推測しているので、その内容に基づいて、情報供給ゾーン内になる予測時刻を推測する（ステップＳ２０６）。
【００５８】
ステップＳ２０５において、室内温度および室内湿度が判定図の情報供給ゾーン内になると判断しなかった場合には（ステップＳ２０５：ＮＯ）、ステップＳ２０３に移行して、室内温度がさらに１℃上昇するかを判断する。
【００５９】
また、ステップＳ２０３において、室内温度が現在より１℃上昇しないと判断した場合には（ステップＳ２０５：ＮＯ）、予測動作が終了する。
【００６０】
本発明に係る情報供給システムにおける第２変形例の予測方法について、図９を参照しつつ説明する。
【００６１】
まず、空調管理サーバ３は、空気調和機２の室内機２ａから、室外温度センサ３１で検知される室外温度と室外湿度センサ３２で検知される室外湿度についての情報を取得する（ステップＳ３０１）。空調管理サーバ３では室外温度および室外湿度についての情報に基づいて、室外の水蒸気量を検知する（ステップＳ３０２）。本変形例では、図８と同様の室外温度と飽和水蒸気量との関係を示すデータが予測部に記憶されており、そのデータに基づいて室外の水蒸気量を検知する。その後、室外の水蒸気量が一定時間(例えば１時間)以内に大きく上昇したかを判断する（ステップＳ３０３）。本変形例では、室外の水蒸気量が１時間以内に所定量（例えば１ｇ／ｍ３）だけ上昇した場合に、室外の水蒸気量が一定時間以内に大きく上昇したと判断する。室外の水蒸気量が一定時間以内に大きく上昇する場合とは、例えば雨が降り始める前または降っている場合である。
【００６２】
ステップＳ３０３において、室外の水蒸気量が一定時間以内に大きく上昇したと判断した場合（ステップＳ３０３：ＹＥＳ）、室外の水蒸気量の上昇速度を検知する（ステップＳ３０４）。その後、室内温度センサ２１で検知される室内温度および室内湿度センサ２２で検知される室内湿度に基づいて、室内の水蒸気量が検知される（ステップＳ３０５）。本変形例では、室外の水蒸気量が上昇した場合には、雨による室内温度の温度低下があると考えられるので、「現在の室内温度-α℃(例えば、α=2℃)」の室内温度における室内の水蒸気量を検知する。本変形例では、図８と同様の室内温度と飽和蒸気量との関係を示すデータが予測部に記憶されており、そのデータに基づいて室内の水蒸気量を検知する。
【００６３】
このように、本変形例では、過去の一定時間において、室外の水蒸気量が大きく上昇したことから、今後、室内の水蒸気量が上昇すると考えて、今後の室内の水蒸気量の上昇推移を推測する。したがって、ステップＳ３０５において検知した室内の水蒸気量が、ステップＳ３０４において検知した室外の水蒸気量の上昇速度に基づいて上昇した場合に、図５の判定図に基づいて、室内温度および室内湿度が判定図の情報供給ゾーン内になるかを判断する（ステップＳ３０６）。室内温度および室内湿度が判定図の情報供給ゾーン内になると判断した場合（ステップＳ３０６：ＹＥＳ）、情報供給ゾーン内になる予測時刻を推測する（ステップＳ３０７）。本変形例では、ステップＳ３０５において検知した室内の水蒸気量が、ステップＳ３０４において検知した室外の水蒸気量の上昇速度に基づいて上昇したと考える。したがって、例えば、「現在の室内温度-α℃(例えば、α=2℃)」の室内温度において、判定図の情報供給ゾーン内になる室内湿度を検知して、その室内湿度と、「現在の室内温度-α℃(例えば、α=2℃)」の室内温度における飽和水蒸気量との基づいて、「現在の室内温度-α℃(例えば、α=2℃)」の室内温度において、判定図の情報供給ゾーン内になる室内の水蒸気量を推測した後において、ステップＳ３０５において検知した室内の水蒸気量が、ステップＳ３０４において検知した室外の水蒸気量の上昇速度に基づいて上昇して、その推測した室内の水蒸気量まで上昇したときに、判定図の情報供給ゾーン内になると判断するとともに、情報供給ゾーン内になる予測時刻を推測してもよい。
【００６４】
また、本変形例において、一度、室外の水蒸気量が上昇した場合は、室外の水蒸気量が下がるまで、ステップＳ３０５において検知した室内の水蒸気量が、ステップＳ３０４において検知した室外の水蒸気量の上昇速度に基づいて上昇したとして、室内の水蒸気量を推測する。これは、例えば、雨あがりに、室内の水蒸気量は変わらないが、室内温度が上昇し、判定図の情報供給ゾーン内になることや、水蒸気量が上昇している間(雨が降っている間)も、現在の室内温度が変わらない、または上昇していることがあることを考慮するためである。また、本変形例の予測方法は、室内温度が所定温度（例えば、29℃）以上の場合だけ行ってもよい。
【００６５】
ステップＳ３０６において、室内温度および室内湿度が判定図の情報供給ゾーン内になると判断しなかった場合には（ステップＳ３０６：ＮＯ）、予測動作が終了する。
【００６６】
また、ステップＳ３０３において、室外の水蒸気量が一定時間以内に大きく上昇しないと判断した場合には（ステップＳ３０３：ＮＯ）、予測動作が終了する。
【００６７】
また、上述の実施形態では、予測時刻を端末装置に供給した後、所定時間おきに、予測時刻を端末装置に供給することで、予測時刻が予測時刻になる前に複数回供給される場合について説明したが、これに限定されない。したがって、予測時刻が端末装置に１回だけ供給されてもよいし、例えば、判定図において、情報供給ゾーンより室内温度や室内湿度が低い側に（情報供給ゾーンの外側に）、複数の他のゾーンが設けられ、室内温度および室内湿度が複数の他のゾーン内になるたびに予測時刻を端末装置に対して供給することで、予測時刻が予測時刻になる前に複数回供給されてもよい。
【００６８】
また、上述の実施形態では、予測時刻になったときに運転開始タイマーによって空気調和機の運転が開始されている場合は、予測時刻を端末装置に供給しない場合について説明したが、予測時刻になったときに空気調和機の運転が行われているか否かにかかわらず、予測時刻を端末装置に供給してもよい。
【００６９】
また、上述の実施形態では、予測部が、室外温度と室外湿度に基づいて室内温度および室内湿度が判定図の情報供給ゾーン内になるかを予測する場合について説明したが、予測部が、天気予報の気象情報に基づいて室内温度および室内湿度が判定図の情報供給ゾーン内になるかを予測してもよい。この場合、空調管理サーバが気象情報記憶部を有しており、気象情報記憶部が、空調管理サーバと異なる気象情報サーバから供給された天気予報の気象情報を記憶してもよいし、使用者によって天気予報の気象情報が気象情報記憶部に対して登録されるものであってもよい。
【００７０】
また、上述の実施形態では、空調管理システムが、本発明における管理装置に対応する空調管理サーバと、端末装置とを有する場合について説明したが、本発明における管理装置は、天気予報の気象情報を記憶する気象情報記憶手段を有するものであれば、空調管理サーバ以外のものであってもよい。
【００７１】
また、上述の第１実施形態では、室内温度及び室内湿度に基づいて、室内温度及び室内湿度が情報供給ゾーンにある場合に予測時刻が自動的に供給されるが、室内温度に基づいて、室内温度が情報供給ゾーンにある場合に予測時刻が自動的に供給されてもよい。この場合、図１０に示す判定図を使用する。図１０の判定図には、図３と同様に、線Ａより右側の領域は室内温度が２７度以上の領域である情報供給ゾーンが設定される。この場合も、室内温度が情報供給ゾーンにある場合には、予測時刻が供給される。この場合、予測部には、過去における室外温度と空調空間の室内温度との関係を示すデータを記憶しており、予測部では、室外温度が変化した場合に、室内温度がどのように変化するかを検知することができるものであることによって、１日における室外温度の変化から、室内温度の変化を検知して、室内温度が判定図の情報供給ゾーン内になるかを予測できる。そして、空調管理システムの動作は、第１実施形態において室内温度及び室内湿度に基づいて行われるのが、室内温度に基づいて行われる点で異なるが、その他は、第１実施形態と同様の方法で行われる。
【００７２】
また、上述の実施形態では、室内温度及び室内湿度に基づいて、室内温度及び室内湿度が情報供給ゾーンにある場合に予測情報が自動的に供給されるが、室内湿度に基づいて、室内湿度が情報供給ゾーンにある場合に予測時刻が自動的に供給されてもよい。そして、空調管理システムの動作は、第１実施形態において室内温度及び室内湿度に基づいて行われるのが、室内湿度に基づいて行われる点で異なるが、その他は、実施形態と同様の方法で行われる。
【００７３】
また、上述の実施形態では、室内機に配置された室内温度センサ及び室内湿度センサで検出された室内温度及び室内湿度に基づいて予測情報が供給されるが、その他の空調空間（例えばリモコン）に配置された室内温度センサ及び室内湿度センサで検出された室内温度及び室内湿度に基づいて予測情報が供給されてもよい。
【００７４】
また、上述の実施形態では、端末装置が、空調空間にある空気調和機に対して運転変更命令を供給できるものであるが、空調空間にある空気調和機に対して運転変更命令を供給できない端末装置であってもよい。
【産業上の利用可能性】
【００７５】
本発明を利用すれば、空調空間の温度・湿度が所定範囲内になるのを防止できる。
【符号の説明】
【００７６】
１  空調管理システム
２  空気調和機
３  空調管理サーバ（管理装置）
４  端末装置
２０  運転開始タイマー部（運転開始タイマー手段）
５２  予測部（予測手段）
５５  情報供給部（情報供給手段） 
【図１】
2015114053.tif 000003
【図２】
2015114053.tif 000004
【図３】
2015114053.tif 000005
【図４】
2015114053.tif 000006
【図５】
2015114053.tif 000007
【図６】
2015114053.tif 000008
【図７】
2015114053.tif 000009
【図８】
2015114053.tif 000010
【図９】
2015114053.tif 000011
【図１０】
2015114053.tif 000012